(57)【要約】【課題】  省エネに優れたサーバーラック用照明装置及びデータセンターの照明システムを提供することを目的とする。【解決手段】  照明装置（１０Ａ）は、ラック（１００Ａ）内のスロット部に収納されたサーバーモジュール（ＢＳＶ、ＳＶ）を照明する照明装置である。そして照明装置（１０Ａ）は、スロット部（ＳＴ）の幅に合わせた大きさの筐体（２１）と、筐体（２１）に設けられ筐体がスロット部内に収納された際にサーバーモジュール（ＢＳＶ、ＳＶ）の正面又は背面よりも外側に位置して光を照明する照明光源（１６）と、を備える。【選択図】図４
2011039754.tif 000002
【特許請求の範囲】
【請求項１】
ラック内のスロット部に収納されたサーバーモジュールを照明する照明装置であって、
前記スロット部の幅に合わせた大きさの筐体と、
前記筐体に設けられ、前記筐体が前記スロット部内に収納された際に前記サーバーモジュールの正面又は背面よりも外側に位置して光を照明する照明光源と、
を備えるサーバーモジュールを照明する照明装置。
【請求項２】
前記照明光源は、前記サーバーモジュールの前記正面又は前記背面に光を照明する請求項１に記載の照明装置。
【請求項３】
前記照明光源は、前記サーバーモジュールの前記正面よりも前方に光を照明する請求項１に記載の照明装置。
【請求項４】
前記照明光源は、前記光を照明する射出口に前記光を偏向する光学部材を有する請求項１から請求項３のいずれか一項に記載の照明装置。
【請求項５】
前記筐体は、前記スロット部に着脱可能に固定される請求項１から請求項４のいずれか一項に記載の照明装置。
【請求項６】
前記筐体は、前記スロット部に沿って移動可能である請求項１から請求項５のいずれか一項に記載の照明装置。
【請求項７】
前記筐体は、前記スロット部に沿って一定ピッチごとに停止箇所を有する請求項６に記載の照明装置。
【請求項８】
前記照明光源は、前記光の照明方向を変えることができる請求項１から請求項７のいずれか一項に記載の照明装置。
【請求項９】
前記筐体の一部に折り曲げ部が設けられ、前記照明光源は前記折り曲げ部によって照明方向を変える請求項８に記載の照明装置。
【請求項１０】
前記ラックは、前記ラック内に収納した前記サーバーモジュールを保護するための開閉可能な開閉扉を有し、
前記照明装置は、前記開閉扉が開いた際に開信号を出力し閉じた際に閉信号を出力する開閉スイッチを備え、
前記照明光源は前記開信号を受けた際に点灯し、前記閉信号を受けた際に消灯する請求項１から請求項９のいずれか一項に記載の照明装置。
【請求項１１】
前記開閉扉が閉じた際に、前記筐体は前記開閉扉に当接しない請求項１０に記載の照明装置。
【請求項１２】
ラック内のスロット部に収納されたサーバーモジュールを照明する照明装置であって、
前記スロット部の幅に合わせて形成され、前記ラックの天井板に載置されたレールと、
前記スロット部の幅に合わせた大きさで、前記レールに沿って移動可能な筐体と、
前記筐体に設けられ、光を前記サーバーモジュールの正面又は背面に照明する照明光源と、
を備えるサーバーモジュールを照明する照明装置。
【請求項１３】
データセンター内の照明システムであって、
請求項９に記載の照明装置を備えたラックが前記データセンター内の通路に沿って複数配置され、前記通路を通る人を検出する人検出部を備え、
前記人検出部からの信号に基づいて前記照明装置は前記通路を照明する照明システム。
【請求項１４】
データセンター内の照明システムであって、
請求項１から請求項８のいずれか一項の照明装置を備えたラックが前記データセンター内の通路に沿って複数配置され、
前記通路を通る人を検出する人検出部と、
前記人検出部からの信号に基づいて前記通路を照明する通路照明装置と、を備える照明システム。
【発明の詳細な説明】
【技術分野】
【０００１】
本発明は、サーバーラック用などに使われる照明装置及びデータセンター内の照明システムに関し、特に省エネに優れたサーバーラック用照明装置及びデータセンターの照明システムに関する。
【背景技術】
【０００２】
サーバーが多く配置されたデータセンターは消費電力が非常に大きい。このため消費電力を少しでも少なくするようにいろいろな試みが行われている。その一つに特許文献１に示されるように、消費電力を減らすために薄暗くなったデータセンター内の通路をサーバーラック側から照らす提案がなされている。
【０００３】
特許文献１に開示されたサーバーラックは、扉の左右両側の周辺部を凹ませた収納凹部を有する。そしてその収納凹部に着脱自在に照明器具が装着されている。そして複数台のサーバーラックによって形成された通路を照明器具が照らしている。
【先行技術文献】
【特許文献】
【０００４】
【特許文献１】特開２００２−２９５０８３号公報
【発明の概要】
【発明が解決しようとする課題】
【０００５】
しかしながら、データセンター内でサーバーの点検・メンテナンスを行う際には、できるだけ作業者の手元が明るい方が望ましいが、特許文献１に開示された照明器具は、通路方向を照らすため、作業者の手元は暗くなってしまう可能性がある。
また、特許文献１に開示された照明器具は常に点灯されているものであり、エネルギー消費量が増加してしまう。
また、サーバーラックを既設の施設内に配設する場合、作業者の手元を十分に照らせるよう、ラックと施設の照明との配置を考慮する必要がある。しかし、施設の照明配置を基準にするとラックのレイアウトに制限が生じてしまったり、照明の直下にラックが配設されて該照明がラック上天部を照らして作業者の手元に光が十分に届かなかったりする。
また、施設の照明は、ある一定領域毎に電力管理されているため、作業に当たって照明を点灯すると、作業者のいる領域以外も点灯されてしまい、無駄な電力を消費してしまう。このように、サーバー管理において施設に常設された照明を使うことは、作業者の作業効率や省電力化といった様々な障害があった。
【課題を解決するための手段】
【０００６】
本発明は、作業者を十分に照らすとともに、省エネに優れたサーバーラックなどの照明装置及びデータセンターの照明システムを提供することを目的とする。
【０００７】
第１観点の照明装置は、ラック内のスロット部に収納されたサーバーモジュールを照明する照明装置である。そして照明装置は、スロット部の幅に合わせた大きさの筐体と、筐体に設けられ筐体がスロット部内に収納された際にサーバーモジュールの正面又は背面よりも外側に位置して光を照明する照明光源と、を備える。
照明装置はラックのスロット部内に設置されるため作業の邪魔にならない。
【０００８】
照明装置の照明光源は、サーバーモジュールの正面又は背面に光を照明する。
照明装置の照明光源は、サーバーモジュールの正面よりも前方に光を照明する。
照明装置の照明光源は、光を照明する射出口に光を偏向する光学部材を有する。
【０００９】
照明装置の筐体は、スロット部に着脱可能に固定される。
また照明装置の筐体は、スロット部に沿って移動可能である。
照明装置の筐体は、スロット部に沿って一定ピッチごとに停止箇所を有する。
【００１０】
照明装置の照明光源は、光の照明方向を変えることができる。
筐体の一部に折り曲げ部が設けられ、照明光源は折り曲げ部によって照明方向を変える。
【００１１】
ラックは、ラック内に収納したサーバーモジュールを保護するための開閉可能な開閉扉を有する。そして、照明装置は、開閉扉が開いた際に開信号を出力し閉じた際に閉信号を出力する開閉スイッチを備え、照明光源は開信号を受けた際に点灯し閉信号を受けた際に消灯する。
そして、開閉扉が閉じた際に筐体は開閉扉に当接しない。
【００１２】
第２観点の照明装置はラック内のスロット部に収納されたサーバーモジュールを照明する。この照明装置は、スロット部の幅に合わせて形成され、ラックの天井板に載置されたレールと、スロット部の幅に合わせた大きさで、レールに沿って移動可能な筐体と、筐体に設けられ、光をサーバーモジュールの正面又は背面に照明する照明光源と、を備える。
【００１３】
第３観点のデータセンター内の照明システムは、照明装置を備えたラックがデータセンター内の通路に沿って複数配置され、通路を通る人を検出する人検出部を備え、人検出部からの信号に基づいて照明装置は通路を照明する。
【００１４】
第４観点のデータセンター内の照明システムは、照明装置を備えたラックがデータセンター内の通路に沿って複数配置され、通路を通る人を検出する人検出部と、人検出部からの信号に基づいて通路を照明する通路照明装置と、を備える。
【発明の効果】
【００１５】
本発明の照明装置は、サーバーモジュールを点検する作業者の手元を照らすことができる。またこの照明装置はラックのスロット部内に設置されるため、作業の邪魔にもならない。
【図面の簡単な説明】
【００１６】
【図１】データセンターＤＣの全体構成を示した斜視図である。
【図２】データセンターＤＣの平面図である。
【図３】第１実施形態の第１サーバーラック用ＬＥＤ装置１０Ａを備えた第１サーバーラック１００Ａの正面図である。
【図４】第１サーバーラック用ＬＥＤ装置１０Ａを備えた第１サーバーラック１００Ａの側面図である。
【図５】（Ａ）は第１実施形態の第１サーバーラック用ＬＥＤ装置１０Ａの斜視図である。  （Ｂ）は光学部材ＬＥを有するサーバーラック用ＬＥＤ装置１０Ｂの斜視図である。
【図６】第１サーバーラック用ＬＥＤ装置１０Ａ及び照明器具１１の動作を示すフローチャートである。
【図７】第２実施形態の第２サーバーラック用ＬＥＤ装置１０Ｃの斜視図である。
【図８】第２サーバーラック用ＬＥＤ装置１０Ｃを説明するための第２サーバーラック１００Ｂの側面図である。
【図９】第３実施形態の第３サーバーラック用ＬＥＤ装置１０Ｄの斜視図である。
【図１０】第３サーバーラック用ＬＥＤ装置１０Ｄを説明するための第４サーバーラック１００Ｄの側面図である。
【図１１】第３サーバーラック用ＬＥＤ装置１０Ｄの動作を示すフローチャートである。
【図１２】第４実施形態の第４サーバーラック１００Ｅの側面図である。
【発明を実施するための形態】
【００１７】
（第１実施形態）
＜データセンターＤＣの全体構成＞
図１は、データセンターＤＣの全体構成を示した斜視図である。図１において、第１サーバーラック１００Ａが並列された方向をＸ軸とし、第１サーバーラック１００Ａの起立方向をＺ軸とし、Ｘ軸及びＺ軸に垂直な方向をＹ軸とする。
【００１８】
図１に示されたように、データセンターＤＣ内にはサーバーラック列ＳＲＬａ〜１００ｆがＸ軸方向に沿って６列配置されている。また、サーバーラック列ＳＲＬａ〜１００ｆは、それぞれ２０台の第１サーバーラック１００Ａより構成される。第１サーバーラック１００Ａは複数のサーバーＳＶ（図３を参照）などを収納している。
【００１９】
第１実施形態において、第１サーバーラック列ＳＲＬａと第２サーバーラック列ＳＲＬｂとが互いに正面を対向するように配置される。同様に、第３サーバーラック列ＳＲＬｃと第４サーバーラック列ＳＲＬｄとが互いに正面を対向するように配置され、第５サーバーラック列ＳＲＬｅと第６サーバーラック列ＳＲＬｆとが互いに正面を対向するように配置されている。したがって、第２サーバーラック列ＳＲＬｂと第３サーバーラック列ＳＲＬｃとが互いに背面を対向し、第４サーバーラック列ＳＲＬｄと第５サーバーラック列ＳＲＬｅとが互いに背面を対向している。
【００２０】
これにより、複数の作業用通路３０（３０ａ、３０ｂおよび３０ｃ）と空調用通路４０（４０ａ、４０ｂ、４０ｃおよび４０ｄ）とが形成されている。具体的には、第１サーバーラック列ＳＲＬａと第２サーバーラック列ＳＲＬｂとの間には第１作業用通路３０ａが形成されている。同様に、第３サーバーラック列ＳＲＬｃと第４サーバーラック列ＳＲＬｄとの間には第２作業用通路３０ｂが形成され、第５サーバーラック列ＳＲＬｅと第６サーバーラック列ＳＲＬｆとの間には第３作業用通路３０ｃが形成されている。また、第１サーバーラック列ＳＲＬａの背面側（−Ｙ側）には第１空調用通路４０ａが形成される。第２サーバーラック列ＳＲＬｂと第３サーバーラック列ＳＲＬｃとの間には第２空調用通路４０ｂが形成され、第４サーバーラック列ＳＲＬｄと第５サーバーラック列ＳＲＬｅとの間には第３空調用通路４０ｃが形成される。また、第６サーバーラック列ＳＲＬｆの背面側（＋Ｙ側）に第４空調用通路４０ｄが形成される。
【００２１】
また、サーバーラック列ＳＲＬａ〜１００ｆの一方（−Ｘ側）には第１サーバーラック１００Ａ内などを含めたデータセンターＤＣ内の温度を調整するために、空調としてパッケージエアコン２０ａ〜２０ｄが配置されている。第１パッケージエアコン２０ａは第１空調用通路４０ａを空調し、第２パッケージエアコン２０ｂは第２空調用通路４０ｂを空調する。同様に、第３パッケージエアコン２０ｃは第３空調用通路４０ｃを空調し、第４パッケージエアコン２０ｄは第４空調用通路４０ｄを空調する。
【００２２】
データセンターＤＣは天井照明が設けられていない。このため、データセンターＤＣ内は非常に暗い状態となっている。天井照明がないため照明用の消費電力はきわめて少なくなっている。
【００２３】
図２は、データセンターＤＣの平面図である。
図２に示されたように、例えば作業者９０が第１作業用通路３０ａに入って第１サーバーラック列ＳＲＬａ又は第２サーバーラック列ＳＲＬｂに収納されたサーバーＳＶ（図３を参照）について作業できる。同様に、作業者９０は第２作業用通路３０ｂに入って第３サーバーラック列ＳＲＬｃ又は第４サーバーラック列ＳＲＬｄに収納されたサーバーＳＶ（図３を参照）について作業でき、第３作業用通路３０ｃに入って第５サーバーラック列ＳＲＬｅ又は第６サーバーラック列ＳＲＬｆに収納されたサーバーＳＶ（図３を参照）について作業できる。
【００２４】
また、作業者９０が原則的に入らない第１空調用通路４０ａでは、第１パッケージエアコン２０ａが矢印ＡＲ１に示された空調用空気を＋Ｘ軸方向に吹き出す。そして空調用空気は、第１サーバーラック列ＳＲＬａからの熱を排気する。同様に、第２空調用通路４０ｂでも、第２サーバーラック列ＳＲＬｂ及び第３サーバーラック列ＳＲＬｃからの熱が第２パッケージエアコン２０ｂからの空調用空気（矢印ＡＲ２）によってが＋Ｘ軸方向に排気される。第３空調用通路４０ｃでも、第４サーバーラック列ＳＲＬｄ及び第５サーバーラック列ＳＲＬｅからの熱が第３パッケージエアコン２０ｃからの空調用空気（矢印ＡＲ３）によって排気される。第４空調用通路４０ｄでも、第６サーバーラック列ＳＲＬｆからの熱が第４パッケージエアコン２０ｄからの空調用空気（矢印ＡＲ４）によって排気される。
【００２５】
＜データセンター照明システム＞
データセンター照明システムは、全ての第１サーバーラック１００Ａに設けられその正面通路側に光を照射する照明器具１１と作業者９０の存在を検出する照明器具用センサー１２（図３を参照）とを少なくとも含む。データセンターＤＣ内は天井照明の無い非常に暗い状態となっている。データセンターＤＣ内に作業者９０が入ると、照明器具用センサー１２（図３を参照）が作業者９０を検出する。そして照明器具用センサー１２からの信号により、照明器具１１が第１サーバーラック１００Ａの正面通路側を照明する。また、作業者９０が照明器具用センサー１２の検出範囲から出ると、照明器具用センサー１２（図３を参照）は所定時間の経過後に照明器具１１への信号出力を止める。照明器具用センサー１２からの信号を受けなくなると、照明器具１１が消灯する。
【００２６】
例えば、図２に示されたように作業者９０が第１入口ＥＴ１から−Ｘ軸方向に沿って位置Ａまで歩いたとき、位置Ａまで第１サーバーラック列ＳＲＬａ及び第２サーバーラック列ＳＲＬｂの第１サーバーラック１００Ａに設けられた照明器具１１が順次点灯する。これにより、図２中、破線で囲まれた作業者９０の周囲の領域Ｄ１が明るくなる。照明器具用センサー１２（図３で説明）が作業者９０を検出しないと所定時間経過後に、照明器具１１が自動的に消灯する。すなわち、第１入口ＥＴ１に近い第１サーバーラック１００Ａに設けられた照明器具１１から順次消灯する。したがって、無駄な照明電力を削減でき省エネが実現できる。
【００２７】
また、作業者９０が第２入口ＥＴ２から位置Ａを通り過ぎ位置Ｂまで歩いたとき、位置Ｂの付近の照明器具用センサー１２（図３で説明）が作業者９０を検出する。照明器具用センサー１２からの信号により照明器具１１が点灯する。照明器具用センサー１２が作業者９０を検出しないと所定時間経過後に照明器具１１が消灯するため、第２入口ＥＴ２から位置Ａまでの照明器具１１が消灯している。このため、図２に示されるように、破線で囲まれた作業者９０の周囲の領域Ｄ２のみが明るくなっている。
【００２８】
次に作業者９０が第３入口ＥＴ３から位置Ａ及び位置Ｂを経由して位置Ｃに到達し、その場しばらく立ち止まった状態を説明する。第３入口ＥＴ３から位置Ｃの手前（Ｘ軸方向）までの照明器具用センサー１２は、作業者９０を検出しなくなって所定時間が経過したため信号を停止する。そして、位置Ｃ付近の照明器具用センサー１２のみが、作業者９０を検出し続けているため、位置Ｃ付近の照明器具用センサー１２が照明器具１１に信号を送る。そのため、位置Ｃ付近の照明器具１１のみが点灯し続ける。作業者９０付近の照明装置１１のみが点灯するため、無駄な照明電力を削減でき省エネが実現できる。
【００２９】
＜第１サーバーラック１００Ａの構成＞
図３は、第１実施形態の第１サーバーラック１００Ａの正面図である。図４は、第１実施形態の第１サーバーラック用ＬＥＤ装置１０Ａを説明するための第１サーバーラック１００Ａの側面図である。第１サーバーラック１００Ａは、例えば収納規格が統一された１９インチの工業用ラックとして説明する。また、図４は理解を助けるために、ディスプレイＰＬ及びキーボードＫＢなどの一部の部材が省略して描いてあり、開閉扉２３は点線で描いてある。
【００３０】
図３及び図４に示されるように、第１サーバーラック１００Ａは、４本のメインフレーム１３とそのＸ軸及びＹ軸方向の内側にはＺ軸方向に伸びた４本のホルダーフレーム２４とが設けられている。そして、第１サーバーラック１００Ａの正面側には、図３に示されたように、開閉扉２３が設けられている。第１サーバーラック１００Ａの背面側は正面側と同様に開閉扉２３が設けられていてもよい。また背面側に、開閉扉２３ではなく、パンチメタルなどの板が取り付けられていてもよい。第１サーバーラック１００Ａの上側には天井板２８が配置され、下側には底面板２９が配置される。
【００３１】
開閉扉２３はメインフレーム１３に蝶番２７で接続されており、正面のメインフレーム１３に対して開閉可能である。開閉扉２３は一般的に扉枠に通風性に優れたパンチングメタルが接合されている。また、図示しないが第１サーバーラック１００Ａの中身が見えるように扉体の大部分に透明なガラス板が嵌め込まれたり、後述する第３サーバーラック用ＬＥＤ装置１０Ｄからの光が透過するように開閉扉２３の上部に透明なガラス板が嵌め込まれたりしていてもよい。
【００３２】
メインフレーム１３の蝶番２７と反対側（＋Ｘ側）の両隅には、扉開閉センサー１４ａ、１４ｂが設けられている。扉開閉センサー１４ａ、１４ｂは開閉扉２３の開閉状態を検出し、開状態又は閉状態の信号を出力する。例えば、第１実施形態では押圧タイプのセンサーが使用されているが、扉開閉センサー１４ａ、１４ｂは近接センサーなどの他のタイプのセンサーを使用してもよい。これらの扉開閉センサー１４ａ、１４ｂが開閉扉２３の検出を確実にするために、開閉扉２３の対応する位置には扉突起部１５ａ、１５ｂが設けられている。
【００３３】
また、第１サーバーラック１００Ａの天井板２８の真ん中付近には照明器具１１が設けられている。照明器具１１は例えば１０個の白色ＬＥＤが配置されており、第１サーバーラック１００Ａの天井板２８上から正面の作業用通路３０ａ〜３０ｃ（図２を参照）に向けて光が照射される。
【００３４】
第１サーバーラック１００Ａの天井板２８の両側（Ｘ軸方向）には作業者９０の存在を検出できる照明器具用センサー１２ａ、１２ｂがそれぞれ設けられている。例えば、作業者９０が＋Ｘ軸方向に移動してくる場合に照明器具用センサー１２ａが作業者９０の存在を先に検出する。作業者９０が−Ｘ軸方向から移動してくる場合に照明器具用センサー１２ｂが作業者９０の存在を先に検出する。作業者９０が第１サーバーラック１００Ａの正面付近で立ち止まっている場合には、照明器具用センサー１２ａ，１２ｂの両方が作業者９０を検出する。照明器具用センサー１２ａ，１２ｂは、照明器具１１に検出信号を出力する。そして、検出信号を受け取った照明器具１１は光を照射する。
【００３５】
第１実施形態では、照明器具用センサー１２ａ、１２ｂは遅延タイマーが内蔵されたセンサーを使用している。このため、照明器具用センサー１２ａ、１２ｂは、作業者９０がいない状態となっても所定時間だけ検出信号を照明器具１１に出力する。照明器具１１は作業者９０がいない状態でも所定期間だけ光を照射する。
【００３６】
また図３及び図４に示されるように、第１サーバーラック１００Ａは、４本のメインフレーム１３とそのＸ軸及びＹ軸方向の内側にはＺ軸方向に伸びた４本のホルダーフレーム２４とを設けている。そのホルダーフレーム２４は例えば４６段のスロット部ＳＴを有している。このスロット部ＳＴにはしばしば正面の一対のホルダーフレーム２４の幅に対応したブランクパネル（不図示）が嵌め込まれている。またこのスロット部ＳＴには、正面と背面とのホルダーフレーム２４の長さに対応して、Ｙ軸方向に伸びた複数のサーバー挿入用レール１７が設けられる。
【００３７】
サーバーモジュールが挿入される際に、ブランクパネル（不図示）が嵌め込まれている場合には、そのブランクパネルが取り外されて、サーバー挿入用レール１７にサーバーモジュールが挿入される。このサーバーモジュールとしてサーバーＳＶ又はブレードサーバーＢＳＶなどが挙げられる。サーバー挿入用レール１７に挿入されたサーバーＳＶ又はブレードサーバーＢＳＶは、ホルダーフレーム２４にネジなどで固定される。
【００３８】
また、第１サーバーラック１００Ａの他のスロット部ＳＴには、サーバーモジュールの制御に用いられるディスプレイＰＬ及びキーボードＫＢなどが設けられてもよい。一般的にディスプレイＰＬ及びキーボードＫＢは、作業者９０が立って又は座って作業しやすくように約８０ｃｍから１６０ｃｍの高さに設けられている。
【００３９】
Ｚ軸方向に一番上のブレードサーバーＢＳＶの上側のスロット部ＳＴに、２つの第１サーバーラック用ＬＥＤ装置１０Ａが設けられている。１つの第１サーバーラック用ＬＥＤ装置１０Ａは正面側に配置され、もう一方は背面側に配置されている。第１サーバーラック用ＬＥＤ装置１０Ａは、図５で説明するように筐体２１及びＬＥＤ１６などから構成される。第１サーバーラック用ＬＥＤ装置１０Ａは、ブランクパネルが嵌め込まれている場合には、そのブランクパネルが取り外された後に、ホルダーフレーム２４又はサーバー挿入用レール１７に取り付けられる。
【００４０】
第１サーバーラック用ＬＥＤ装置１０Ａの筐体２１の幅はブランクパネルとほぼ同じ幅で構成される。すなわち、筐体２１の幅は正面又は背面の一対のホルダーフレーム２４の幅に対応している。第１サーバーラック用ＬＥＤ装置１０Ａはホルダーフレーム２４又はサーバー挿入用レール１７に着脱可能に取り付けられる。第１サーバーラック用ＬＥＤ装置１０Ａの底面にはＬＥＤ１６が設けられている。ＬＥＤ１６は、第１サーバーラック１００Ａ内の電源端子に接続され、例えば５Ｖの直流電圧で点灯する。図３又は図４に示されるように、ＬＥＤ１６が、サーバーＳＶ又はブレードサーバーＢＳＶなどの正面を光５０で照射することで、作業者９０はサーバーＳＶなどの設定・調整を行うことができる。また、ＬＥＤ１６が、サーバーＳＶ又はブレードサーバーＢＳＶなどの背面を光５０で照射することで、作業者９０はサーバーＳＶなどにケーブルなどを配線することができる。
【００４１】
また、図４に示されるように、第１サーバーラック用ＬＥＤ装置１０Ａはホルダーフレーム２４より外側（正面側（−Ｙ側）、又は背面側（＋Y側））に突起するように配置されている。これにより、筐体２１の底面に設けられたＬＥＤ１６がホルダーフレーム２４の外側に露出し、ＬＥＤ１６から照射した光５０がサーバーＳＶ又はブレードサーバーＢＳＶなどの正面又は背面を照射する。また、第１サーバーラック用ＬＥＤ装置１０Ａは、点線で示された開閉扉２３が閉じられた状態で、開閉扉２３の内側に当接することがない。すなわち、開閉扉２３が閉じられた状態では、第１サーバーラック用ＬＥＤ装置１０Ａは第１サーバーラック１００Ａ内に収納される。
【００４２】
図３又は図４では、第１サーバーラック用ＬＥＤ装置１０ＡはブレードサーバーＢＳＶの１つ上側のスロット部ＳＴに設けられているが、複数のスロットＳＴをスキップして第１サーバーラック１００Ａの一番上のスロット部ＳＴに取り付けられてもよい。新たなブレードサーバーＢＳＶを挿入するスロットＳＴを確保しておくためである。さらに、図４に示されるように、正面側の第１サーバーラック用ＬＥＤ装置１０Ａと背面側の第１サーバーラック用ＬＥＤ装置１０Ａとが異なる段のスロット部ＳＴに装着されてもよい。
【００４３】
また、第１サーバーラック用ＬＥＤ装置１０Ａは常に点灯されているものではない。第１サーバーラック用ＬＥＤ装置１０ＡのＬＥＤ１６は扉開閉センサー１４ａ、１４ｂに接続されている。扉開閉センサー１４ａ、１４ｂが開閉扉２３の開放を検出した際にＬＥＤ１６に信号を出力し、ＬＥＤ１６が点灯する。第１実施形態では、扉開閉センサー１４ａ、１４ｂの少なくとも一方が故障しても、ＬＥＤ１６が点灯するように扉開閉センサーが２つ設けられている。しかし、コスト低減のため扉開閉センサーが１つだけ設けられていてもよい。扉開閉センサー１４ａ、１４ｂが開閉扉２３の閉鎖を検出した際には信号出力が止まり、ＬＥＤ１６が消灯する。
【００４４】
＜第１サーバーラック用ＬＥＤ装置１０Ａの構成＞
図５（Ａ）は、第１実施形態の第１サーバーラック用ＬＥＤ装置１０Ａの斜視図である。（Ｂ）は光学部材ＬＥを有するサーバーラック用ＬＥＤ装置１０Ｂの斜視図である。
【００４５】
（Ａ）に示される第１サーバーラック用ＬＥＤ装置１０Ａは、立方体である樹脂の筺体２１で構成される。筺体２１のＸ軸方向の幅は正面又は背面の一対のホルダーフレーム２４の内幅と同じであり、筺体２１の厚さ（Ｚ軸方向）はスロット部ＳＴの厚さと同じように構成されている。第１サーバーラック用ＬＥＤ装置１０Ａを正面から見たときに、ブレードサーバーＢＳＶの正面と同じ形状、又はブランクパネル（不図示）の正面と同じ形状であった方がデザイン的に優れるためである。
【００４６】
筺体２１の底面には白色のＬＥＤ１６が等間隔に５箇所設けられている。１箇所には必要な光量に応じて１個から５個の白色ＬＥＤ１６が配置される。また、白色のＬＥＤ１６に代えて他の色のＬＥＤが用いられてもよいし、フィラメント電球が用いられてもよい。
【００４７】
また、筺体２１のＸ軸方向の両側には２つの係合部２５がそれぞれ設けられている。２つの係合部２５は、樹脂又は金属で構成されて弾性変形可能である。このため、係合部２５が第１サーバーラック１００Ａのホルダーフレーム２４又はサーバー挿入用レール１７（図４を参照）に押し付けられると、係合部２５はホルダーフレーム２４又はサーバー挿入用レール１７に係止する。逆に、第１サーバーラック用ＬＥＤ装置１０Ａを引っ張ると、係合部２５とホルダーフレーム２４又はサーバー挿入用レール１７との係止が解除される。
【００４８】
その他、第１サーバーラック用ＬＥＤ装置１０Ａは、図示しない電源コードを有している。なお、第１実施形態では５箇所に白色のＬＥＤ１６が設けられているが、必要に基づいて、３箇所又は６箇所にＬＥＤ１６が設けられてもよい。
【００４９】
（Ｂ）に示されるサーバーラック用ＬＥＤ装置１０Ｂは、第１サーバーラック用ＬＥＤ装置１０Ａとほぼ同じ構成である。しかしサーバーラック用ＬＥＤ装置１０Ｂは、ＬＥＤ１６から照射された光を集光する集光レンズＬＥがＬＥＤ１６の射出口に配置してある。これにより、ＬＥＤ１６からの光５０の指向性を高めることができる。特に図示しないが、集光レンズＬＥの代わりに光学プリズムやミラーなどを配置して、ＬＥＤ１６からの光５０を偏向させてもよい。このようにＬＥＤ１６の射出口に光学部材が配置されると、サーバーＳＶ又はブレードサーバーＢＳＶなどの正面又は背面に照明される光５０を調整することができる。
【００５０】
＜第１サーバーラック用ＬＥＤ装置１０Ａおよび照明器具１１の動作＞
図６は、第１サーバーラック用ＬＥＤ装置１０Ａおよび照明器具１１の動作を示すフローチャートである。なお、動作は、第１サーバーラック用ＬＥＤ装置１０Ａが第１サーバーラック１００Ａの正面側（作業用通路３０）に配置されている例で説明する。
【００５１】
作業者９０がデータセンターＤＣ内の作業用通路３０に入る（ステップＳ１１１）。すると、第１サーバーラック１００Ａの天井板２８に設けられた照明器具用センサー１２（１２ａ、１２ｂ）が作業者９０の存在を検出する（ステップＳ１１２）。第１サーバーラック１００Ａの通路方向（Ｘ軸方向）の両側に照明器具用センサー１２ａ、１２ｂが配置されるため、作業者９０が作業用通路３０を進行する方向に影響を受けない。
【００５２】
照明器具用センサー１２の信号により、第１サーバーラック１００Ａ上の照明器具１１が点灯する。図２で示されたように、作業用通路３０の両側の第１サーバーラック１００Ａの照明器具１１が点灯する（ステップＳ１１３）。作業者９０は一つの第１サーバーラック１００Ａに対して作業を行うため、その一つの第１サーバーラック１００Ａの前に立ち止まる。そして作業者９０は第１サーバーラック１００Ａの正面の開閉扉２３を開ける（ステップＳ１１４）。
【００５３】
すると、扉開閉センサー１４（１４ａ、１４ｂ）が開閉扉２３の開状態を検出する（ステップＳ１１５）。そして、扉開閉センサー１４の信号により、第１サーバーラック用ＬＥＤ装置１０Ａが点灯する（ステップＳ１１６）。このとき、ステップＳ１１３で示されたように、作業用通路３０の両側の第１サーバーラック１００Ａの照明器具１１が点灯している。このため、第１サーバーラック用ＬＥＤ装置１０Ａと照明器具１１は、第１サーバーラック１００Ａの上側に挿入されたブレードサーバーＢＳＶから下側に挿入されたサーバーＳＶを満遍なく照明する。
【００５４】
作業者９０は、作業を終えると第１サーバーラック１００Ａの開閉扉２３を閉じる（ステップＳ１１７）。すると扉開閉センサー１４の信号が停止するため、第１サーバーラック用ＬＥＤ装置１０Ａが消灯する（ステップＳ１１８）。
【００５５】
その後、作業を終えた作業者９０が第１サーバーラック１００Ａの正面から立ち去る（ステップＳ１１９）。すると、センサー１２の信号停止により、所定時間経過後に作業を行った第１サーバーラック１００Ａの照明器具１１及びその通路の反対側の第１サーバーラック１００Ａの照明器具１１が消灯する（ステップＳ１２０）。作業者９０は作業用通路３０を歩いてデータセンターＤＣ外へ出て行くが、作業用通路３０を歩いている最中は、ステップ１１２及びステップ１１３で説明したと同様に、作業用通路３０の両側の照明器具１１が点灯して作業用通路３０を照らす。
【００５６】
このように、ホルダーフレームの内幅と幅の同じ筐体内にＬＥＤ１６を配設してサーバーラック１００A毎にその筐体を設置することで、サーバーラック毎に照明するため、作業者の手元を確実に照らすことができる。また、サーバーラック毎にラック前面を照明するため、作業者のいない作業者用通路や空調用通路等の照明の不要なエリアに対する照明コストを低減でき、施設常設の照明を用いることのない省電力化が図れる。また、扉の開閉に応じて第１サーバーラック用ＬＥＤ装置１０Ａが照明を行うため、作業の発生するときのみ照明し、更なる省電力化が図れる。
【００５７】
（第２実施形態）
＜第２サーバーラック用ＬＥＤ装置１０Ｃの構成＞
次に、第２実施形態を説明する。第２実施形態は、第１サーバーラック用ＬＥＤ装置１０Ａに代えて第２サーバーラック用ＬＥＤ装置１０Ｃを用いている。データセンターＤＣ及び照明器具１１などの構成は第１実施形態と同じである。第２サーバーラック用ＬＥＤ装置１０Ｃ及びそれを備えた第２サーバーラック１００Ｃの構成について図７及び図８を参照しながら説明する。
【００５８】
図７は、第２実施形態の第２サーバーラック用ＬＥＤ装置１０Ｃの斜視図である。図８は、第２実施形態の第２サーバーラック用ＬＥＤ装置１０Ｃを説明するための第２サーバーラック１００Ｃの側面図である。なお、図８は理解を助けるために、第２サーバーラック１００Ｃの開閉扉２３などを一部省略して描いてある。
【００５９】
図７に示されたように、第２サーバーラック用ＬＥＤ装置１０Ｃは、第１サーバーラック用ＬＥＤ装置１０Ａに筺体延長部２６及びＬＥＤ装置用レール１８を追加している。筺体延長部２６のＸ軸方向の幅は筺体２１の幅と同じであり、筺体延長部２６の厚さも筺体２１の厚さと同じである。筺体延長部２６の奥行き（Ｙ軸方向）ＤＹは、スロット部ＳＴの奥行きＤＤであるホルダーフレーム２４間（図８を参照）の約１／２に構成されている。図８に示されるように２つの第２サーバーラック用ＬＥＤ装置１０Ｃが同じ段のスロット部ＳＴに配置されないのであれば、筺体延長部２６の奥行き（Ｙ軸方向）ＤＹはスロット部ＳＴの奥行きＤＤと同等であってもよい。
【００６０】
筺体延長部２６のＸ軸方向の両側にはＬＥＤ装置用レール１８が設けられている。ＬＥＤ装置用レール１８はＸＺ平面において断面形状が「凹」型となり、スライドレールとして用いられる。ここで、ＬＥＤ装置用レール１８の凹部は第２サーバーラック１００Ｃの挿入用レール１７に噛み合うサイズで構成される。
【００６１】
また、筺体２１に設けられたＬＥＤ１６、２つの係合部２５は第１実施形態で説明したものと同じである。すなわちＬＥＤ１６は扉開閉センサー１４ａ、１４ｂにより開閉扉２３の開閉を検出ことで点灯又は消灯する。また、図５（Ｂ）で示されたように、ＬＥＤ１６の射出口に集光レンズなどの光学部材が配置されていてもよい。
【００６２】
また係合部２５はホルダーフレーム２４又はサーバー挿入用レール１７（図４を参照）に押し付けられると、係合部２５はホルダーフレーム２４又はサーバー挿入用レール１７に係止する。係合部２５がホルダーフレーム２４又はサーバー挿入用レール１７に係止しない状態では、第２サーバーラック用ＬＥＤ装置１０Ｃは、挿入用レール１７とＬＥＤ装置用レール１８とが噛み合っているため、任意の位置で停止することができる。すなわち、図８に示されたように第２サーバーラック用ＬＥＤ装置１０Ｃが第２サーバーラック１００Ｃの挿入用レール１７に沿ってＹ軸方向で移動自由が可能である。また、第２サーバーラック用ＬＥＤ装置１０Ｃを引っ張ると、係合部２５とホルダーフレーム２４又はサーバー挿入用レール１７との係止が解除される。
【００６３】
詳しく説明すると、第２サーバーラック用ＬＥＤ装置１０Ｃの位置が実線の位置であるとき、第２サーバーラック用ＬＥＤ装置１０ＣのＬＥＤ１６の光５０は、その直下に配置されたブレードサーバーＢＳＶ付近を照射できる。また、第２サーバーラック用ＬＥＤ装置１０Ｃの位置が点線の位置であるとき、第２サーバーラック用ＬＥＤ装置１０ＣのＬＥＤ１６の光５０は、第２サーバーラック１００Ｃの下側の複数のサーバーＳＶを照射することができる。したがって、作業者９０が作業しやすいように、第２サーバーラック用ＬＥＤ装置１０Ｃを所定の位置まで引出して作業することができる。
なお、第２サーバーラック用ＬＥＤ装置１０Ｃおよび照明器具１１の動作は、図６で示されたフローチャートと略同じであるため、説明を割愛する。
【００６４】
第２サーバーラック用ＬＥＤ装置１０Ｃは、その移動位置（引き出し位置）に応じて調光可能とすることもできる。例えば、サーバーラックの最上段寄りのスロットに第２サーバーラック用ＬＥＤ装置１０Ｃを設置した場合、引き出し距離の増加に応じて段階的にあるいは徐々にＬＥＤ１６への電力供給量を増加させて照度が高くなるようにすることができる。このようにすれば、上段位置での作業の際は引き出し距離を短くすることによって少ない電力で十分な照度を得ることができ、下段位置での作業の際は引き出し距離を長くすることによって適切な電力で十分な照度を得ることができる。このような第２サーバーラック用ＬＥＤ装置１０Ｃの引き出し位置に対応する調光は、この例に限定されるものではなく任意に決定することができる。
【００６５】
（第３実施形態）
＜第３サーバーラック用ＬＥＤ装置１０Ｄの構成＞
第３実施形態は、第２サーバーラック用ＬＥＤ装置１０Ｃの代わりに第３サーバーラック用ＬＥＤ装置１０Ｄを用いている。第３サーバーラック１００Ｄは、その天井板２８に照明器具１１を備えていない。第３サーバーラック用ＬＥＤ装置１０Ｄ及びそれを備えた第３サーバーラック１００Ｄの構成について図９及び図１０を参照しながら説明する。
【００６６】
図９は、第３実施形態の第３サーバーラック用ＬＥＤ装置１０Ｄの斜視図である。
第３サーバーラック用ＬＥＤ装置１０Ｄは、曲げ筺体３１、蛇腹部３３及び筺体延長部３６を有している。
【００６７】
曲げ筺体３１は、第１実施形態の筐体２１と基本的に同じ構成でありＬＥＤ１６をその底面に有している。しかし、筺体２１のＸ軸方向の両側には係合部２５が設けられていない。曲げ筺体３１と筺体延長部３６との間には蛇腹部３３が形成されている。蛇腹部３３は筺体延長部３６に対して曲げ筺体３１を任意の角度方向に折り曲げることができる。
【００６８】
第３サーバーラック用ＬＥＤ装置１０Ｄは第２実施形態で説明された筺体延長部２６に代えて筺体延長部３６を有している。筺体延長部３６はその両側面（Ｘ軸方向）に突起の先端が外側に向かう位置決め用段差部３９が形成されている。一方、挿入用レール１７は等間隔に形成された板バネ２７を有している。板バネ２７は位置決め用段差部３９の凹み部に挿入されるサイズに形成されている。さらに、第３サーバーラック用ＬＥＤ装置１０Ｄは、位置決め用段差部３９と挿入用レール１７とが所定の間隔（ピッチ）で位置決めできる。このため上述したように、筺体２１に第１実施形態で説明された係合部２５を有していない。また第３サーバーラック用ＬＥＤ装置１０Ｄは、挿入用レール１７から着脱可能である。
【００６９】
また、筺体３１に設けられたＬＥＤ１６は第１実施形態で説明したもの基本的に同じである。また、図５（Ｂ）で示されたように、ＬＥＤ１６の射出口に集光レンズなどの光学部材が配置されていてもよい。
【００７０】
ＬＥＤ１６は扉開閉センサー１４ａ、１４ｂに接続され、さらに第３サーバーラック１００Ｄの天井板２８の両側に配置された照明器具用センサー１２に接続されている。このためＬＥＤ１６は、開閉扉２３の開閉で点灯又は消灯し、作業者９０の存在で点灯又は消灯する。
【００７１】
第３サーバーラック用ＬＥＤ装置１０Ｄは、筺体３１を筺体延長部３６に対して上下方向に折り曲げることができる。また、作業者９０が作業しやすいように、第３サーバーラック用ＬＥＤ装置１０Ｄを所定の位置まで引出して作業することができる。したがって、作業者９０はＬＥＤ１６の光が照射される位置を任意に調整できる。また、図１０に示されるように、作業者９０が作業を終えて開閉扉９０を閉じる際には、ＬＥＤ１６が作業用通路３０を向くように、筺体３１を筺体延長部３６に対して約９０度上に折り曲げる。また
【００７２】
なお、第３実施形態で説明された位置決め用段差部３９に代えて、第２実施形態で説明されたＬＥＤ装置用レール１８が設けられてもよい。また第２実施形態で説明されたＬＥＤ装置用レール１８を設けた場合には、それに応じて筺体３１の両側に係合部２５を設けることが好ましい。
【００７３】
＜第３サーバーラック用ＬＥＤ装置１０Ｄの動作＞
図１１は、第３サーバーラック用ＬＥＤ装置１０Ｄの動作を示すフローチャートである。なお、動作は、第３サーバーラック用ＬＥＤ装置１０Ｄが第３サーバーラック１００Ｄの正面側（作業用通路３０）に配置されている例で説明する。
【００７４】
作業者９０がデータセンターＤＣ内の作業用通路３０に入る（ステップＳ２１１）。すると、第３サーバーラック１００Ｄの天井板２８に設けられた照明器具用センサー１２（１２ａ、１２ｂ）が作業者９０の存在を検出する（ステップＳ２１２）。第３サーバーラック１００Ｄの通路方向（Ｘ軸方向）の両側に照明器具用センサー１２ａ、１２ｂが配置されるため、作業者９０が作業用通路３０を進行する方向に影響を受けない。
【００７５】
照明器具用センサー１２の信号により、第３サーバーラック１００Ｄ内の第３サーバーラック用ＬＥＤ装置１０Ｄが点灯する（ステップＳ２１３）。開閉扉２３は、第３サーバーラック用ＬＥＤ装置１０Ｄの高さではガラス板などが嵌め込まれており光５０が透過する。作業者９０は一つの第３サーバーラック１００Ｄに対して作業を行うため、その一つの第３サーバーラック１００Ｄの前に立ち止まる。そして作業者９０は第３サーバーラック１００Ｄの正面の開閉扉２３を開ける（ステップＳ２１４）。
【００７６】
すると、扉開閉センサー１４（１４ａ、１４ｂ）が開閉扉２３の開状態を検出する（ステップＳ２１５）。そして、扉開閉センサー１４の信号により、第３サーバーラック用ＬＥＤ装置１０Ｄがそのまま点灯維持される（ステップＳ２１６）。
【００７７】
作業者９０は、作業を終えると第３サーバーラック１００Ｄの開閉扉２３を閉じる（ステップＳ２１７）。すると扉開閉センサー１４の信号が停止するが、ステップＳ２１２で照明器具用センサー１２が作業者９０を検出しているため、第３サーバーラック用ＬＥＤ装置１０Ｄは点灯したままである。
【００７８】
その後、作業を終えた作業者９０が第３サーバーラック１００Ｄの正面から立ち去る（ステップＳ２１８）。すると、センサー１２の信号停止により、所定時間経過後に第３サーバーラック用ＬＥＤ装置１０Ｄが消灯する（ステップＳ２１９）。
【００７９】
（第４実施形態）
＜第４サーバーラック１００Ｅの構成＞
次に、第４実施形態を説明する。第４実施形態は、第２サーバーラック用ＬＥＤ装置１０Ｃが第４サーバーラック１００Ｅの天井板２８の上に載置されている。第２サーバーラック用ＬＥＤ装置１０Ｃを備えた第４サーバーラック１００Ｅの構成について図１２を参照しながら説明する。
【００８０】
図１２は、第４実施形態の第４サーバーラック１００Ｅの側面図である。なお、図８は理解を助けるために、第４サーバーラック１００Ｅの開閉扉２３などを一部省略して描いてある。
【００８１】
図１２に示されたように、第２サーバーラック用ＬＥＤ装置１０Ｃは、第４サーバーラック１００Ｅの天井板２８の上に天井レール３７が載置されている。この天井レール３７は、図８で説明した挿入用レール１７と同じような構造である。このため、第２サーバーラック用ＬＥＤ装置１０Ｃが天井レール３７に取り付けられる。図１２に示されるように２つの第２サーバーラック用ＬＥＤ装置１０Ｃが取り付けられてもよいし、１つだけ取り付けられてもよい。
【００８２】
ＬＥＤ１６は扉開閉センサー１４ａ、１４ｂに接続され、さらに第４サーバーラック１００Ｅの天井板２８の両側（Ｘ軸方向）配置された照明器具用センサー１２に接続されている。このためＬＥＤ１６は、開閉扉２３の開閉で点灯又は消灯し、作業者９０の存在で点灯又は消灯する。
【００８３】
第２サーバーラック用ＬＥＤ装置１０Ｃは、天井レール３７とＬＥＤ装置用レール１８とが噛み合っているため、任意の位置で停止することができる。すなわち、第２サーバーラック用ＬＥＤ装置１０Ｃが第４サーバーラック１００Ｅの天井レール３７に沿ってＹ軸方向で移動自由が可能である。
なお、第２サーバーラック用ＬＥＤ装置１０Ｃの動作は、図１１で示されたフローチャートと略同じであるため、説明を割愛する。
【産業上の利用可能性】
【００８４】
以上、本発明の最適な実施例について詳細に説明したが、当業者に明らかなように、本発明はその技術的範囲内において実施例に様々な変更・変形を加えて実施することができる。
例えば、本発明ではデータセンターを一例として説明したが、より小さい範囲のサーバールームなどにも適当される。また、本発明ではレールを用いてサーバー及びサーバーラック用ＬＥＤ装置をサーバーラックに挿入しているが、棚を用いてサーバー及びＬＥＤ装置などを載置してもよい。
【００８５】
また、第３実施形態では蛇腹部３３を用いてＬＥＤ１６の照射方向を変更させるが、ＬＥＤ１６が照射した照明光の光路にミラーなどの反射板を設けてＬＥＤ１６の照射方向を変えてもよい。
【符号の説明】
【００８６】
１０Ａ〜１０Ｄ  …  サーバーラック用ＬＥＤ装置
１１  …  照明器具
１２ａ、１２ｂ  …  照明器具用センサー
１３  …  フレーム
１４ａ、１４ｂ  …  扉開閉センサー
１５ａ、１５ｂ  …  扉突起部
１６  …  ＬＥＤ
１７  …  挿入用レール
１８  …  ＬＥＤ装置用レール
２０ａ〜２０ｄ  …  パッケージエアコン
２１、３１  …  筺体
２３  …  開閉扉
２４  …  ホルダー
２５  …  係合部
２６、３６  …  筺体延長部
２８  …  天井板、  ２９  …  底面板
３０ａ〜３０ｃ  …  作業用通路
３３  …  蛇腹部
３７  …  天井レール
３９  …  位置決め用段差部
４０ａ〜４０ｄ  …  空調用通路
５０  …  光（照射光）
９０  …  作業者
１００Ａ、１００Ｃ、１００Ｄ、１００Ｅ  …  サーバーラック
ＢＳＶ  …  ブレードサーバー
ＤＣ  …  データセンター
ＫＢ  …  キーボード
ＰＬ  …  ディスプレイ
ＳＲＬ（ＳＲＬａ〜ＳＲＬｆ）  …  サーバーラック列
ＳＴ  …  スロット部
ＳＶ  …  サーバー
【図１】
2011039754.tif 000003
【図２】
2011039754.tif 000004
【図３】
2011039754.tif 000005
【図４】
2011039754.tif 000006
【図５】
2011039754.tif 000007
【図６】
2011039754.tif 000008
【図７】
2011039754.tif 000009
【図８】
2011039754.tif 000010
【図９】
2011039754.tif 000011
【図１０】
2011039754.tif 000012
【図１１】
2011039754.tif 000013
【図１２】
2011039754.tif 000014